(57)【要約】【課題】レーザイメージャ等の画像形成装置がが本来有している画像形成機能を利用し、簡便なフィルム仕分けのためのフィルム確認方法、及びそのフィルム確認方法を実行可能な画像をフィルムに形成できる画像形成装置を提供する。【解決手段】この画像形成装置は、診断画像情報と、少なくとも患者情報を含み診断画像情報に付帯する付帯情報とを入力し、感光性のフィルムに潜像を形成し、その潜像が形成されたフィルムを現像し可視化する。特定患者に属するフィルムに形成された患者情報の画像部分を重ねて透過又は反射確認できるように患者情報の画像を所定位置Ｆ１０に形成する。複数枚のフィルムを重ねて所定位置Ｆ１０で観察することで、他の患者のフィルムが混入していても、その混入が容易に分かるので、同一患者の複数枚のフィルムを簡単に仕分けることができる。【選択図】  図９
2004226702.tif 000002
【特許請求の範囲】
【請求項１】
診断画像情報、又は、診断画像及び少なくとも患者情報を含む付帯情報を入力する入力手段と、
感光性のフィルムのほぼ全面にわたって画像形成可能な潜像形成手段と、
前記潜像形成手段によって潜像が形成された前記フィルムを現像し可視化する現像手段と、
前記診断画像情報又は前記付帯情報から患者情報を入手する患者情報入手手段と、
前記診断画像及び前記患者情報入手手段で得られた患者情報を前記フィルム上に形成するように前記潜像形成手段を制御する制御手段と、を備える画像形成装置を用い、前記診断画像及び前記患者情報入手手段で得られた患者情報に基づいて画像が形成され出力した複数枚のフィルムのうち、特定患者に属する出力されたフィルムの確認を、前記患者情報入手手段で得られた患者情報に基づいて画像が形成された部分を利用し、当該部分を重ねあわせ、当該部分を透過又は反射で確認して行うことを特徴とするフィルム確認方法。
【請求項２】
前記画像形成装置は、前記患者情報入手手段で得られた患者情報のフィルムへの出力時の大きさ及び／又は位置を指定する手段と、
前記指定された患者情報の大きさ及び／又は位置と、フィルムサイズとに基づいて前記診断画像部分の画像形成時の倍率を演算する演算手段と、を更に備えることを特徴とする請求項１に記載のフィルム確認方法。
【請求項３】
前記画像形成装置は、前記患者情報入手手段で得られた前記患者情報の画像形成時の文字の線幅を指定する手段を更に備えることを特徴とする請求項１または２に記載のフィルム確認方法。
【請求項４】
前記患者情報の画像形成時の文字の大きさを５．５ｍｍ×５．５ｍｍ以上とし、文字の線幅を１ｍｍ以上としたことを特徴とする請求項１，２または３に記載のフィルム確認方法。
【請求項５】
前記患者情報の画像形成時の文字を黒地に白抜き文字としたことを特徴とする請求項１乃至４のいずれか１項に記載のフィルム確認方法。
【請求項６】
診断画像情報、又は、診断画像及び少なくとも患者情報を含む付帯情報を入力する入力手段と、
感光性のフィルムのほぼ全面にわたって画像形成可能な潜像形成手段と、
前記潜像形成手段によって潜像が形成された前記フィルムを現像し可視化する現像手段と、
前記診断画像情報又は前記付帯情報から患者情報を入手する患者情報入手手段と、
前記診断画像及び前記患者情報入手手段で得られた患者情報を前記フィルム上に形成するように前記潜像形成手段を制御する制御手段と、を備える画像形成装置を用い、同一患者の診断画像が形成された複数枚のフィルムを連続して出力するとともに、前記診断画像及び前記患者情報入手手段で得られた患者情報に基づいて画像が形成され出力した複数枚のフィルムのうち、同一患者に属する出力されたフィルムの確認を、前記患者情報入手手段で得られた患者情報に基づいて画像が形成された部分を利用し、当該部分を重ねあわせ、当該部分を透過又は反射で確認して行うことを特徴とするフィルム確認方法。
【請求項７】
前記診断画像に対応する患者が別の患者に切り替わったときに、前記画像形成装置のフィルム排出トレー上で確認可能なフィルム位置に視認マークを形成することを特徴とする請求項６に記載のフィルム確認方法。
【請求項８】
前記診断画像に対応する患者が別の患者に切り替わったときに、前記患者情報に関する画像部分の形成位置を副走査方向及び／又は主走査方向にずらすことを特徴とする請求項６または７に記載のフィルム確認方法。
【請求項９】
前記患者情報の画像形成時の文字の大きさを５．５ｍｍ×５．５ｍｍ以上とし、文字の線幅を１ｍｍ以上としたことを特徴とする請求項６，７または８に記載のフィルム確認方法。
【請求項１０】
前記患者情報の画像形成時の文字を黒地に白抜き文字としたことを特徴とする請求項６乃至９のいずれか１項に記載のフィルム確認方法。
【請求項１１】
診断画像情報、又は、診断画像及び少なくとも患者情報を含む付帯情報を入力する入力手段と、
感光性のフィルムのほぼ全面にわたって画像形成可能な潜像形成手段と、
前記潜像形成手段によって潜像が形成された前記フィルムを現像し可視化する現像手段と、
前記診断画像情報又は前記付帯情報から患者情報を入手する患者情報入手手段と、
前記診断画像及び前記患者情報入手手段で得られた患者情報を前記フィルム上に形成するように前記潜像形成手段を制御するとともに、前記患者情報が形成される画像部分を複数枚重ね合わせたときにその重ね合わせた部分が目視判別可能な透過光量を確保する大きさとなるように制御する制御手段と、を備える画像形成装置を用い、前記診断画像及び前記患者情報入手手段で得られた患者情報に基づいて画像が形成され出力した複数枚のフィルムのうち、特定患者に属する出力されたフィルムの確認を、前記患者情報入手手段で得られた患者情報に基づいて画像が形成された部分を利用し、当該部分を重ねあわせ、当該部分を透過又は反射で確認して行うことを特徴とするフィルム確認方法。
【請求項１２】
診断画像情報、又は、診断画像及び少なくとも患者情報を含む付帯情報を入力する入力手段と、
感光性のフィルムのほぼ全面にわたって画像形成可能な潜像形成手段と、
前記潜像形成手段によって潜像が形成された前記フィルムを現像し可視化する現像手段と、
前記診断画像情報又は前記付帯情報から患者情報を入手する患者情報入手手段と、
前記診断画像及び前記患者情報入手手段で得られた患者情報を前記フィルム上に形成するように前記潜像形成手段を制御する制御手段と、を備え、
前記制御手段は、特定患者に属するフィルムについて前記患者情報入手手段で得られた患者情報に基づいて形成された画像部分を重ねあわせ、当該部分を透過又は反射で確認できるように前記画像部分の形成を制御することを特徴とする画像形成装置。
【請求項１３】
診断画像情報、又は、診断画像及び少なくとも患者情報を含む付帯情報を入力する入力手段と、
感光性のフィルムのほぼ全面にわたって画像形成可能な潜像形成手段と、
前記潜像形成手段によって潜像が形成された前記フィルムを現像し可視化する現像手段と、
前記現像されたフィルムが排出される排出トレーと、
前記診断画像情報又は前記付帯情報から患者情報を入手する患者情報入手手段と、
前記診断画像及び前記患者情報入手手段で得られた患者情報を前記フィルム上に形成するように前記潜像形成手段を制御する制御手段と、を備え、
前記制御手段は、同一患者に属するフィルムについて前記患者情報入手手段で得られた患者情報に基づいて形成された画像部分を重ねあわせ、当該部分を透過又は反射で確認できるように前記画像部分の形成を制御し、
同一患者の診断画像が形成された複数枚のフィルムを連続して出力することを特徴とする画像形成装置。
【請求項１４】
前記制御手段は、前記診断画像に対応する患者が別の患者に切り替わったときに、前記排出トレー上で確認可能なフィルム位置に視認マークを形成するように制御することを特徴とする請求項１３に記載の画像形成装置。
【請求項１５】
前記制御手段は、前記診断画像に対応する患者が別の患者に切り替わったときに、前記付帯情報の所定位置を副走査方向及び／又は主走査方向にずらすように制御することを特徴とする請求項１３または１４に記載の画像形成装置。
【請求項１６】
診断画像情報、又は、診断画像及び少なくとも患者情報を含む付帯情報を入力する入力手段と、
感光性のフィルムのほぼ全面にわたって画像形成可能な潜像形成手段と、
前記潜像形成手段によって潜像が形成された前記フィルムを現像し可視化する現像手段と、
前記診断画像情報又は前記付帯情報から患者情報を入手する患者情報入手手段と、
前記診断画像及び前記患者情報入手手段で得られた患者情報を前記フィルム上に形成するように前記潜像形成手段を制御するとともに、前記患者情報が形成される画像部分を複数枚重ね合わせたときにその重ね合わせた部分が目視判別可能な透過光量を確保する大きさとなるように制御する制御手段と、を備える画像形成装置。
【請求項１７】
前記患者情報入手手段で得られた患者情報のフィルムへの出力時の大きさ及び／又は位置を指定する手段と、
前記指定された患者情報の大きさ及び／又は位置と、フィルムサイズとに基づいて前記診断画像部分の画像形成時の倍率を演算する演算手段と、を更に備えることを特徴とする請求項１２乃至１６のいずれか１項に記載の画像形成装置。
【請求項１８】
前記患者情報入手手段で得られた前記患者情報の画像形成時の文字の線幅を指定する手段を更に備えることを特徴とする請求項１２乃至１７のいずれか１項に記載の画像形成装置。
【請求項１９】
前記患者情報の画像形成時の文字の大きさを５．５ｍｍ×５．５ｍｍ以上とし、文字の線幅を１ｍｍ以上としたことを特徴とする請求項１２乃至１８のいずれか１項に記載の画像形成装置。
【請求項２０】
前記患者情報の画像形成時の文字を黒地に白抜き文字としたことを特徴とする請求項１２乃至１９のいずれか１項に記載の画像形成装置。
【発明の詳細な説明】
【０００１】
【発明の属する技術分野】
本発明は、フィルムを仕分けるためのフィルム確認方法、及びそのフィルム確認方法を実行可能な画像をフィルムに形成する画像形成装置に関するものである。
【０００２】
【従来の技術】
医療用レーザイメージャにはいわゆるＣＲ系、モダリティ系の２系統の診断画像の入力系があり、これらの入力系から医療用レーザイメージャに対し診断画像情報が出力される。一般的に患者の撮影時に、例えば腰椎の撮影をする際には、正面、側面、側面前屈、側面後屈、等々１患者に対して１〜４枚連続して撮影する、という使用方法が多い。この得られた診断画像の出力時に、ＣＲ系では通常等倍（ライフナイズ）が使用されるが、近年、省資源（省フィルム）化の観点から縮小プリントでの診断も増えつつある。
【０００３】
また、ＣＴ・ＭＲ等のモダリティ系の診断画像の出力時には、１枚のフィルムに多数駒（診断画像）を出力する所謂マルチフォーマット出力が用いられることが多く、従って、撮影で得られた診断画像はフィルム上に縮小してプリントされることとなる。
【０００４】
ところで、レーザイメージャによって出力されたフィルム群の中から、自分の担当のフィルムを短時間で得るには、従来はレーザイメージャ本体にソータを付設し、例えば、入力系統毎に仕分けたり、患者名のアルファベット順に仕分けたりしながら、フィルム出力後の仕分け作業の省力化が図られてきた。しかしながら、ソータを別途付設すると設置面積や部品点数が大幅に増え好ましくない。
【０００５】
そこで、ソータ装置を用いず、装置のレーザ書き込み機能を利用してユーザによる仕分け効率化を狙う方法が下記特許文献１に開示されている。この方法によれば、ユーザの切替わり目自体は認識できるが、ユーザネーム自体は判別できない欠点を有していた。更に、複数の放射線技師全員が切替わり方法を熟知していないと、他人の担当フィルムを持ち去ることとなり、フィルム紛失で放射線科全体が混乱に陥るおそれがあった。
【０００６】
【特許文献１】
特開平８−２８６３５３号公報
【０００７】
【発明が解決しようとする課題】
本発明は、上記従来技術の問題に鑑み、レーザイメージャ等の画像形成装置がが本来有している画像形成機能を利用し、簡便なフィルム仕分けのためのフィルム確認方法、及びそのフィルム確認方法を実行可能な画像をフィルムに形成できる画像形成装置を提供することを目的とする。
【０００８】
【課題を解決するための手段】
上記目的を達成するために、本発明によるフィルム確認方法は、診断画像情報、又は、診断画像及び少なくとも患者情報を含む付帯情報を入力する入力手段と、感光性のフィルムのほぼ全面にわたって画像形成可能な潜像形成手段と、前記潜像形成手段によって潜像が形成された前記フィルムを現像し可視化する現像手段と、前記診断画像情報又は前記付帯情報から患者情報を入手する患者情報入手手段と、前記診断画像及び前記患者情報入手手段で得られた患者情報を前記フィルム上に形成するように前記潜像形成手段を制御する制御手段と、を備える画像形成装置を用い、前記診断画像及び前記患者情報入手手段で得られた患者情報に基づいて画像が形成され出力した複数枚のフィルムのうち、特定患者に属する出力されたフィルムの確認を、前記患者情報入手手段で得られた患者情報に基づいて画像が形成された部分を利用し、当該部分を重ねあわせ、当該部分を透過又は反射で確認して行うことを特徴とする。
【０００９】
このフィルム確認方法によれば、患者名や患者ＩＤ等の患者情報に関する画像部分をフィルムに形成し、同じ患者情報の診断画像のフィルムが複数枚ある場合、それらの画像部分を重ねあわせて透過又は反射確認を行うことで、異なる患者情報のフィルムが混入していても、その混入が容易に分かるので、同じ患者情報の複数枚のフィルムを簡単に仕分けることができる。
【００１０】
上記フィルム確認方法において、前記画像形成装置は、前記患者情報入手手段で得られた患者情報のフィルムへの出力時の大きさ及び／又は位置を指定する手段と、前記指定された患者情報の大きさ及び／又は位置と、フィルムサイズとに基づいて前記診断画像部分の画像形成時の倍率を演算する演算手段と、を更に備えることが好ましく、これにより、画像部分における患者情報を透過又は反射確認が容易になるように任意の大きさでフィルムに形成できるので、透過又は反射確認がより行い易い。
【００１１】
また、前記画像形成装置は、前記患者情報入手手段で得られた前記患者情報の画像形成時の文字の線幅を指定する手段を更に備えることが好ましく、これにより、透過又は反射確認が容易になるように画像部分における患者情報の文字の線幅を指定しその線幅で患者情報の文字画像をフィルムに形成するので、透過又は反射確認がより行い易い。
【００１２】
また、前記患者情報の画像形成時の文字の大きさを５．５ｍｍ×５．５ｍｍ以上とし、文字の線幅を１ｍｍ以上とすることが好ましく、また、前記患者情報の画像形成時の文字を黒地に白抜き文字とすることが好ましく、これにより、透過又は反射確認がより行い易い。
【００１３】
上述のフィルム確認方法では、１患者当たりのフィルム枚数は４枚以下が圧倒的に多いので、これらを束ねて患者名や患者ＩＤ等の文字画像部分を天井等の蛍光灯にかざせば、異なる患者のフィルム混入のみならず、異なる患者の混入が無い場合には、患者名や患者ＩＤ等の文字自体も判別可能となり、ユーザが自分の担当する患者か否かも容易に認知でき、また、枚数の如何によっては、机の上にフィルムを束ね、室内照明蛍光灯からの反射でも確認可能である。
【００１４】
本発明による別のフィルム確認方法は、診断画像情報、又は、診断画像及び少なくとも患者情報を含む付帯情報を入力する入力手段と、感光性のフィルムのほぼ全面にわたって画像形成可能な潜像形成手段と、前記潜像形成手段によって潜像が形成された前記フィルムを現像し可視化する現像手段と、前記診断画像情報又は前記付帯情報から患者情報を入手する患者情報入手手段と、前記診断画像及び前記患者情報入手手段で得られた患者情報を前記フィルム上に形成するように前記潜像形成手段を制御する制御手段と、を備える画像形成装置を用い、同一患者の診断画像が形成された複数枚のフィルムを連続して出力するとともに、前記診断画像及び前記患者情報入手手段で得られた患者情報に基づいて画像が形成され出力した複数枚のフィルムのうち、同一患者に属する出力されたフィルムの確認を、前記患者情報入手手段で得られた患者情報に基づいて画像が形成された部分を利用し、当該部分を重ねあわせ、当該部分を透過又は反射で確認して行うことを特徴とする。
【００１５】
このフィルム確認方法によれば、同一患者の診断画像の形成された複数枚のフィルムを連続して出力させることで、同一患者の複数枚のフィルムを簡単に仕分けることができる。そして、患者名や患者ＩＤ等の患者情報に関する画像部分をフィルムに形成し、複数枚のフィルムの画像部分を重ねて透過又は反射確認を行うことで、異なる患者情報のフィルムが混入していても、その混入が容易に分かるので、同一患者の複数枚のフィルムの仕分けを簡単かつ確実に行うことができる。
【００１６】
上記フィルム確認方法では、前記診断画像に対応する患者が別の患者に切り替わったときに、前記画像形成装置のフィルム排出トレー上で確認可能なフィルム位置に視認マークを形成することで、同一患者の複数枚のフィルムの仕分けを簡単に行うことができる。この場合、視認マークの形成位置を前の患者の位置に対しずらすようにしてもよい。
【００１７】
また、前記診断画像に対応する患者が別の患者に切り替わったときに、前記患者情報に関する画像部分の形成位置を副走査方向及び／又は主走査方向にずらすようにしてもよく、フィルムの仕分けを簡単に行うことができる。なお、上述のような視認マークの形成または患者情報の形成位置のずらしは、放射線技師の数が比較的少なく、患者の切り替わりが煩雑には行われない場合に特に有効である。
【００１８】
また、前記患者情報の画像形成時の文字の大きさを５．５ｍｍ×５．５ｍｍ以上とし、文字の線幅を１ｍｍ以上とすることが好ましく、また、前記患者情報の画像形成時の文字を黒地に白抜き文字とすることが好ましく、これにより、透過又は反射確認がより行い易い。
【００１９】
本発明による更に別のフィルム確認方法は、診断画像情報、又は、診断画像及び少なくとも患者情報を含む付帯情報を入力する入力手段と、感光性のフィルムのほぼ全面にわたって画像形成可能な潜像形成手段と、前記潜像形成手段によって潜像が形成された前記フィルムを現像し可視化する現像手段と、前記診断画像情報又は前記付帯情報から患者情報を入手する患者情報入手手段と、前記診断画像及び前記患者情報入手手段で得られた患者情報を前記フィルム上に形成するように前記潜像形成手段を制御するとともに、前記患者情報が形成される画像部分を複数枚重ね合わせたときにその重ね合わせた部分が目視判別可能な透過光量を確保する大きさとなるように制御する制御手段と、を備える画像形成装置を用い、前記診断画像及び前記患者情報入手手段で得られた患者情報に基づいて画像が形成され出力した複数枚のフィルムのうち、特定患者に属する出力されたフィルムの確認を、前記患者情報入手手段で得られた患者情報に基づいて画像が形成された部分を利用し、当該部分を重ねあわせ、当該部分を透過又は反射で確認して行うことを特徴とする。
【００２０】
このフィルム確認方法によれば、患者名や患者ＩＤ等の患者情報に関する画像部分をフィルムに形成し、同じ患者情報の診断画像のフィルムが複数枚ある場合、それらの画像部分を重ねて透過又は反射確認を行うことで、異なる患者情報のフィルムが混入していても、その混入が容易に分かるので、同じ患者情報の複数枚のフィルムを簡単に仕分けることができる。そして、患者情報に関する画像部分を重ね合わせた部分が目視判別可能な透過光量を確保する大きさであるので、フィルムの仕分けを簡単かつ確実に行うことができる。
【００２１】
本発明による画像形成装置は、診断画像情報、又は、診断画像及び少なくとも患者情報を含む付帯情報を入力する入力手段と、感光性のフィルムのほぼ全面にわたって画像形成可能な潜像形成手段と、前記潜像形成手段によって潜像が形成された前記フィルムを現像し可視化する現像手段と、前記診断画像情報又は前記付帯情報から患者情報を入手する患者情報入手手段と、前記診断画像及び前記患者情報入手手段で得られた患者情報を前記フィルム上に形成するように前記潜像形成手段を制御する制御手段と、を備え、前記制御手段は、特定患者に属するフィルムについて前記患者情報入手手段で得られた患者情報に基づいて形成された画像部分を重ねあわせ、当該部分を透過又は反射で確認できるように前記画像部分の形成を制御することを特徴とする。
【００２２】
この画像形成装置によれば、患者名や患者ＩＤ等の患者情報に関する画像部分をフィルムに形成するので、同じ患者情報の診断画像のフィルムが複数枚ある場合、それらの画像部分を重ねて透過又は反射確認を行うことができる。このため、異なる患者情報のフィルムが混入していても、その混入が容易に分かるので、同じ患者情報の複数枚のフィルムを簡単に仕分けることができる。
【００２３】
本発明による別の画像形成装置は、診断画像情報、又は、診断画像及び少なくとも患者情報を含む付帯情報を入力する入力手段と、感光性のフィルムのほぼ全面にわたって画像形成可能な潜像形成手段と、前記潜像形成手段によって潜像が形成された前記フィルムを現像し可視化する現像手段と、前記現像されたフィルムが排出される排出トレーと、前記診断画像情報又は前記付帯情報から患者情報を入手する患者情報入手手段と、前記診断画像及び前記患者情報入手手段で得られた患者情報を前記フィルム上に形成するように前記潜像形成手段を制御する制御手段と、を備え、前記制御手段は、同一患者に属するフィルムについて前記患者情報入手手段で得られた患者情報に基づいて形成された画像部分を重ねあわせ、当該部分を透過又は反射で確認できるように前記画像部分の形成を制御し、同一患者の診断画像が形成された複数枚のフィルムを連続して出力することを特徴とする。
【００２４】
この画像形成装置によれば、同一患者の診断画像の形成された複数枚のフィルムを連続して出力させることで、同一患者の複数枚のフィルムを簡単に仕分けることができる。そして、患者名や患者ＩＤ等の患者情報に関する画像部分をフィルムに形成できるので、複数枚のフィルムの画像部分を重ねて透過又は反射確認を行うことができる。このため、異なる患者情報のフィルムが混入していても、その混入が容易に分かるので、同一患者の複数枚のフィルムの仕分けを簡単かつ確実に行うことができる。
【００２５】
上記画像形成装置では、前記制御手段の制御により、前記診断画像情報に対応する患者が別の患者に切り替わったときに、前記排出トレー上で確認可能なフィルム位置に視認マークを形成することで、同一患者の複数枚のフィルムの仕分けを簡単に行うことができる。この場合、視認マークの形成位置を前の患者の位置に対しずらすようにしてもよい。
【００２６】
また、前記制御手段は、前記診断画像情報に対応する患者が別の患者に切り替わったときに、前記付帯情報の所定位置を副走査方向及び／又は主走査方向にずらすように制御してもよく、フィルムの仕分けを簡単に行うことができる。
【００２７】
本発明による更に別の画像形成装置は、診断画像情報、又は、診断画像及び少なくとも患者情報を含む付帯情報を入力する入力手段と、感光性のフィルムのほぼ全面にわたって画像形成可能な潜像形成手段と、前記潜像形成手段によって潜像が形成された前記フィルムを現像し可視化する現像手段と、前記診断画像情報又は前記付帯情報から患者情報を入手する患者情報入手手段と、前記診断画像及び前記患者情報入手手段で得られた患者情報を前記フィルム上に形成するように前記潜像形成手段を制御するとともに、前記患者情報が形成される画像部分を複数枚重ね合わせたときにその重ね合わせた部分が目視判別可能な透過光量を確保する大きさとなるように制御する制御手段と、を備える。
【００２８】
この画像形成装置によれば、患者名や患者ＩＤ等の患者情報に関する画像部分をフィルムに形成できるので、同じ患者情報の診断画像のフィルムが複数枚ある場合、それらの画像部分を重ねて透過又は反射確認を行うことができる。このため、異なる患者情報のフィルムが混入していても、その混入が容易に分かるので、同じ患者情報の複数枚のフィルムを簡単に仕分けることができる。そして、患者情報に関する画像部分を重ね合わせた部分が目視判別可能な透過光量を確保する大きさに形成できるので、フィルムの仕分けを簡単かつ確実に行うことができる。
【００２９】
上記各画像形成装置において、前記患者情報入手手段で得られた患者情報のフィルムへの出力時の大きさ及び／又は位置を指定する手段と、前記指定された患者情報の大きさ及び／又は位置と、フィルムサイズとに基づいて前記診断画像部分の画像形成時の倍率を演算する演算手段と、を更に備えることで、画像部分における患者情報を透過又は反射確認が容易になるように任意の大きさでフィルムに形成できるので、透過又は反射確認がより行い易い。
【００３０】
また、前記患者情報入手手段で得られた前記患者情報の画像形成時の文字の線幅を指定する手段を更に備えることで、透過又は反射確認が容易になるように画像部分における患者情報の文字の線幅を指定しその線幅で患者情報の文字画像をフィルムに形成するので、透過又は反射確認がより行い易い。
【００３１】
また、前記患者情報の画像形成時の文字の大きさを５．５ｍｍ×５．５ｍｍ以上とし、文字の線幅を１ｍｍ以上とすることが好ましく、また、前記患者情報の画像形成時の文字を黒地に白抜き文字とすることが好ましく、透過又は反射確認がより行い易い。
【００３２】
【発明の実施の形態】
以下、本発明による実施の形態について図面を用いて説明する。図１は本実施の形態による画像形成装置の要部を示す正面図であり、図２は図１の画像形成装置の制御系を示すブロック図であり、図３は図１の画像形成装置の露光部を概略的に示す図である。
【００３３】
図１に示すように画像形成装置１００は、シート状の熱現像感光材料であるフィルムを所定枚数でパーケージした包装体を装填する第１及び第２の装填部１１，１２と、フィルムを１枚づつ露光・現像のために搬送し供給するサプライ部９０とを有する供給部１１０と、供給部１１０から給送されたフィルムを露光し潜像を形成する露光部１２０と、潜像を形成されたフィルムを熱現像する現像部１３０と、現像されたフィルムの濃度を測定し濃度情報を得る濃度計２００と、加熱されたフィルムを冷却しながら搬送する冷却搬送部１５０と、フィルムが排出される排出トレー部１６０と、を備える。
【００３４】
供給部１１０の第１及び第２の装填部１１，１２からフィルムが１枚づつサプライ部９０、搬送ローラ対３９，４１，１４１により図１の矢印方向（１）に搬送されるようになっている。
【００３５】
図２に示すように、画像形成装置１００は、ＣＲ系の外部装置である第１の画像出力装置１３１及びモダリティ系の外部装置である第２の画像出力装置１３２から出力された診断画像情報が入力する入力部１３３と、露光部１２０，現像部１３０及び入力部１３０等を制御するための中央演算装置（ＣＰＵ）である制御部９９と、を備える。
【００３６】
ＣＲ系・モダリティ系で撮影した診断画像情報が図２の入力部１３３に入力するが、かかる診断画像情報に付帯して患者名や患者ＩＤ等の患者情報が付帯情報として入力するようになっている。
【００３７】
制御部９９は、画像出力装置１３１，１３２から入力部１３３に入力した診断画像情報に基づいてフィルムに診断画像を形成するとともに、診断画像情報がＤＩＣＯＭ使用の場合はその付帯情報から患者名や患者ＩＤ等の患者情報を入手し、その患者名等を表す文字画像をフィルムの端部近傍の所定位置に比較的大きく形成するように露光部１２０を制御する。また、入力部１３３は露光部１２０で形成される文字のフォント・文字サイズ及び文字の線幅を指定するフォント指定部１３４を有し、患者名等を表す文字画像を指定のフォント及び線幅で形成できるようになっている。フォント指定部１３４は具体的にはキーボードやポインティングデバイス等から構成できる。なお、ＤＩＣＯＭ仕様ではない画像情報の場合、当該画像情報から患者ＩＤ等を文字認識により公知の方式で抽出する。
【００３８】
また、制御部９９は、フォント指定部１３４で指定された文字サイズと、付帯情報に含まれているフィルムサイズとに基づいて診断画像及び患者名等を表す文字画像をフィルムのほぼ全面にわたって形成するように画像形成時の倍率を演算するようになっている。
【００３９】
また、同一患者について複数枚のフィルムに相当する診断画像情報がある場合、各画像出力装置１３１，１３２から同一患者の診断画像情報が連続的に出力し、図１の画像形成装置１００から同一患者の診断画像が形成された複数枚のフィルムが連続的に排出されるようになっているが、図２の入力部１３３に同一患者の間に別の患者の診断画像情報が入力した場合、制御部９９は患者ＩＤ等に基づいて同一患者の診断画像情報で連続的に画像を形成するように画像形成の順番を制御するスタディ機能を有する。
【００４０】
次に、図３により画像形成装置１００の露光部１２０について説明する。図３に示すように、露光部１２０は、図２の入力部１３３に入力した診断画像情報及び患者情報の画像信号Ｓに基づき強度変調された波長７８０〜８６０ｎｍ範囲内の所定波長のレーザ光Ｌを、回転多面鏡１１３によって偏向して、フィルムＦ上を主走査すると共に、フィルムＦをレーザ光Ｌに対して主走査の方向と略直角な方向であるほぼ水平方向に相対移動させることにより副走査し、レーザ光Ｌを用いてフィルムＦに潜像を形成するものである。
【００４１】
露光部１２０のより具体的な構成を以下に述べる。図３において、図２の画像出力装置１３１，１３２から出力されたデジタル信号である画像信号Ｓが入力部１３３を介して入力すると、画像信号Ｓは、Ｄ／Ａ変換器１２２においてアナログ信号に変換され、変調回路１２３に入力される。変調回路１２３は、かかるアナログ信号に基づきレーザ光源部１１０ａのドライバ１２４を制御して、レーザ光源部１１０ａから変調されたレーザ光Ｌを照射させる。
【００４２】
次に、レーザ光源部１１０ａから照射されたレーザ光Ｌは、レンズ１１２を通過した後、シリンドリカルレンズ１１５により上下方向にのみ収束されて、図３の矢印Ａ方向に回転する回転多面鏡１１３に対し、その駆動軸に垂直な線像として入射するようになっている。回転多面鏡１１３はレーザ光Ｌを主走査方向に反射偏向し、偏向されたレーザ光Ｌは、４枚のレンズを組み合わせてなるシリンドリカルレンズを含むｆθレンズ１１４を通過した後、光路上に主走査方向に延在して設けられたミラー１１６で反射されて、搬送装置１４２により矢印Ｙ方向に搬送されている（副走査されている）フィルムＦの被走査面１１７上を、矢印Ｘ方向に繰り返し主走査される。これにより、レーザ光ＬはフィルムＦ上の被走査面１１７全面にわたって走査する。
【００４３】
ｆθレンズ１１４のシリンドリカルレンズは、入射したレーザ光ＬをフィルムＦの被走査面上に、副走査方向にのみ収束させるものとなっており、またｆθレンズ１１４からフィルムＦの被走査面までの距離は、ｆθレンズ１１４全体の焦点距離と等しくなっている。このように、露光部１２０においては、シリンドリカルレンズ１１５及びシリンドリカルレンズを含むｆθレンズ１１４を配設しており、レーザ光Ｌが回転多面鏡１１３上で一旦副走査方向にのみ収束させるようになっているので、回転多面鏡１１３に面倒れや軸ブレが生じても、フィルムＦの被走査面上において、レーザ光Ｌの走査位置が副走査方向にずれることがなく、等ピッチの走査線を形成することができるようになっている。回転多面鏡１１３は、例えばガルバノメータミラー等、その他の光偏光器に比べ走査安定性の点で優れているという利点がある。以上のようにして、フィルムＦに画像信号Ｓに基づく潜像が形成される。
【００４４】
次に、図１の画像形成装置の現像部１３０について説明する。図１に示すように、現像部１３０はフィルムＦを外周に保持しつつ加熱可能な加熱ドラム１４と、加熱ドラム１４に対向するように配置され加熱ドラム１４との間でフィルムを挟んで保持する複数の対向ローラ１６とを有する。フィルムは、加熱ドラム１４と複数の対向ローラ１６との間に挟持されながら加熱され、加熱ドラム１４の回転により搬送される。
【００４５】
加熱ドラム１４の内部に設けられたヒータ（図示省略）は、図２の制御部９９で通電制御され、フィルムＦを所定の最低熱現像温度（例えば１１０℃前後）以上の温度に所定の熱現像時間維持することでフィルムＦを加熱し熱現像する。これによって、上述の露光部１２０でフィルムＦに形成された潜像を可視画像として形成する。また、図２の制御部９９による通電制御によりヒータの温度を変えて現像温度を変えることで濃度調整を行うことができる。
【００４６】
図１の濃度計２００は、発光部２００ａと受光部２００ｂとを備え、現像後のフィルムが発光部２００ａと受光部２００ｂとの間を上述のように搬送され、通過する際に、発光部２００ａから照射した光をフィルムを通して受光部２００ｂで受け、その受光量の減衰の程度に基づいて濃度を測定する。この測定濃度情報に基づいてフィルムの仕上がり濃度が一定となるように露光部１２０のレーザ光量がフィードバック制御されるようになっている。
【００４７】
図１の矢印方向（１）に搬送されたフィルムは、矢印方向（２）に搬送されて上述のように潜像が形成されてから、搬送ローラ対１４２により矢印方向（３）へ現像部１３０の加熱ドラム１４に搬送されて上述のように熱現像されて潜像が可視像化されてから、冷却されながら搬送ローラ対１４４ａ、１４４により搬送され、濃度計２００で濃度測定され、更に搬送ローラ対１４４で矢印方向（４）へ搬送され、排出トレー部１６０に排出される。
【００４８】
なお、本実施の形態において、現像部１３０は露光部１２０とともに画像形成装置１００に組み込まれているが、露光部１２０とは独立した装置であっても良い。この場合、露光部１２０から現像部１３０へとフィルムＦを搬送する搬送部があることが好ましい。また、加熱ドラム１４の周囲は断熱材で覆われていた方が、加熱ドラム１４の温度制御がし易く、好ましい。
【００４９】
次に、図１乃至図３の画像形成装置１００の動作について図４のフローチャート及び図５の画像形成のされたフィルムの平面図を参照しながら説明する。
【００５０】
まず、図２の入力部１３３のフォント指定部１３４で患者情報の例えば患者名を表す文字のフォント及び文字の線幅を指定する（Ｓ０１）。そして、図２の画像出力装置１３１または１３２から診断画像信号及び患者情報を含む付帯情報が画像信号Ｓとして入力部１３３に入力する（Ｓ０２）。そして、ＤＩＣＯＭ仕様の診断画像情報の付帯情報から患者情報（患者名）を入手する（Ｓ０３）。なお、ＤＩＣＯＭ仕様ではない画像情報の場合、その画像情報から患者ＩＤを文字認識により患者ＩＤを切り出す。
【００５１】
図２のフォント指定部１３４で指定された文字サイズと付帯情報に含まれているフィルムサイズとに基づいて画像形成時の倍率を演算し（Ｓ０４）、図１の供給部１１０から給送されたフィルムＦに対し、画像信号Ｓに基づいて露光部１２０のＤ／Ａ変換器１２２、変調回路１２３及びドライバ１２４を介してレーザ光源部１１０ａから変調されたレーザ光Ｌを照射することでレーザ露光し、診断画像及び患者名の文字画像の潜像を形成する（Ｓ０５）。また、このとき、フィルムの先端の所定位置に例えば小さな長方形状の視認マークの潜像をレーザ露光で形成する。この視認マークは同一患者の複数枚のフィルムの内の１枚目に形成される。
【００５２】
次に、潜像の形成されたフィルムＦを搬送し、現像部１３０の加熱ドラム１４で加熱し熱現像し、フィルムＦ上に診断画像及び患者名の文字画像を可視像として形成してから（Ｓ０６）、フィルムＦを更に搬送し排出トレー部１６０に排出する（Ｓ０７）。
【００５３】
上述のように可視像が形成されたフィルムＦには、図５に示すように、フィルムＦの中央部分Ｆｃを中心にほぼ全面に診断画像が形成され、フィルムの搬送方向に関し後端側の後端部Ｆｂの近傍に後端部Ｆｂの短辺に沿った所定位置の患者名欄Ｆ１０内に患者名を表す文字画像が例えば「ＡＢＣＤＥＦ」として形成されている。また、フィルムの搬送方向に関し先端側の先端部Ｆａの所定位置に、比較的小さな長方形状の視認マークＦ１１が形成されている。
【００５４】
図５の患者名欄Ｆ１０内の文字画像は、従来よりも拡大した文字であり、フィルムＦ上の所定位置に形成し、この画像部分を透過又は反射で確認することで、ユーザは所望の患者以外のフィルム混入を簡単に確認できる。
【００５５】
次に、同一患者の診断画像情報があるか否かを判断し（Ｓ０８）、ある場合には上述のステップＳ０２に戻り同様の画像形成を行うことで、同一患者の診断画像を形成した複数枚にフィルムを連続して出力し排出する。同一患者の診断画像情報がない場合には、次の潜像形成において図５の視認マークＦ１１の形成の指示を図２の制御部９９が記憶する（Ｓ０９）。
【００５６】
次に、別の患者の診断画像情報があるか否かを判断し（Ｓ１０）、ある場合には上述のステップＳ０２に戻り同様の画像形成を行い、ない場合には、図５の患者名欄Ｆ１内の文字画像で患者名等についてフィルム確認を行う（Ｓ１１）。
【００５７】
また、ステップＳ１０で患者が別の患者に切り替わると、次の患者の最初のフィルムに上記ステップＳ０５の診断画像の潜像形成のとき、図５の視認マークＦ１１が形成される。
【００５８】
次に、図６，図７により本実施の形態における熱現像感光材料であるフィルムＦにおける図４の露光工程Ｓ０５における潜像形成及び現像工程Ｓ０６における熱現像について説明する。図６は、フィルムＦの断面図であり、露光時におけるフィルムＦ内の化学的反応を模式的に示した図である。図７は、加熱時におけるフィルムＦ内の化学的反応を模式的に示した、図６と同様な断面図である。
【００５９】
フィルムＦは、ＰＥＴからなる支持体（基層）上に、耐熱性バインダを主成分とする感光層が形成され、更に、その上に耐熱性バインダを主成分とする保護層が形成されている。感光層には、ハロゲン化銀粒子と、有機酸銀の一種であるベヘン酸銀（Ｂｅｈ．Ａｇ）と、還元剤及び調色剤とが配合されている。また、支持体の裏面にも耐熱性バインダを主成分とする裏面層が設けられている。
【００６０】
上述の露光時に、露光部１２０よりレーザ光ＬがフィルムＦに対して照射されると、図６に示すように、レーザ光Ｌが照射された領域に、ハロゲン化銀粒子が感光し、潜像が形成される。一方、上述のようにフィルムＦが現像部１３０の加熱ドラム１４で加熱されて最低熱現像温度以上になると、図７に示すように、ベヘン酸銀から銀イオン（Ａｇ＋）が放出され、銀イオンを放出したベヘン酸は調色剤と錯体を形成する。その後銀イオンが拡散して、感光したハロゲン化銀粒子を核として還元剤が作用し、化学的反応により銀画像が形成されると思われる。このようにフィルムＦは、感光性ハロゲン化銀粒子と、有機銀塩と、銀イオン還元剤とを含有し、４０℃以下の温度では実質的に熱現像されず、８０℃以上である最低現像温度（例えば約１１０℃）以上の温度で熱現像される。
【００６１】
次に、上述のように同一患者に関する診断画像が複数枚のフィルムに形成された場合のフィルムの確認及び仕分けについて図８及び図９を参照して説明する。
【００６２】
図８は、同一患者の最初の一枚目に視認マークを形成した複数枚のフィルム及び別の患者の最初の一枚目に視認マークを形成した複数枚のフィルムが図１の排出トレー部に重なった状態でそれらの先端部Ｆａを図５の方向Ｍ側から見た側面図である。図９は、図５の患者名欄Ｆ１０内に文字画像を形成した同一患者の複数枚のフィルムを示す要部斜視図（ａ）及び同一患者の複数枚のフィルムを重ね合わせた状態で、文字画像を形成した図５の患者名欄Ｆ１０を示す要部平面図である。
【００６３】
図８，図９（ａ）のように、同一患者の診断画像を複数枚のフィルムＦ１乃至Ｆ４に図４のように形成し、最初の一枚目のフィルムＦ１に視認マークＦ１１が形成され、フィルムＦ１乃至Ｆ４が図１の排出トレー部１６０に重なるように排出され、次に、別の患者の診断画像を形成した複数枚のフィルムＦ５乃至Ｆ８がフィルムＦ４の上に重なるように排出され、この場合、最初の一枚目のフィルムＦ５に視認マークＦ１１が形成されている。このように異なる患者の複数枚のフィルムが排出トレー部１６０に排出されたとき、図８のように、視認マークＦ１１が形成されたフィルムの先端部Ｆａは、排出トレー部１６０において図１の矢印方向Ｚから確認可能な位置にあり、ユーザは視認マークＦ１１の位置を確認することで、前の患者の複数枚のフィルムＦ１〜Ｆ４の束と、次の別の患者の複数枚のフィルムＦ５〜Ｆ８の束とを簡単に区別し仕分けることができる。
【００６４】
なお、フィルムが排出トレー部１６０に排出されたときに、フィルムＦの後端部Ｆｂの方がオペレータから視認し易い場合、後端部Ｆｂ側に視認マークＦ１１を設けてもよい。
【００６５】
また、別の患者に切り替わったとき、視認マークＦ１１の位置を、図８の破線で示すように、異なる位置にずらすようにしてもよい。このような視認マークの位置変更は、図４のステップＳ０９で行うことができる。
【００６６】
次に、図９（ａ）の同一患者の複数枚のフィルムＦ１〜Ｆ４を重ね合わせて、図９（ｂ）のように患者名欄Ｆ１０に形成した患者名「ＡＢＣＤＥＦ」を、例えば蛍光灯にかざして見ると、各文字にわたって同一光量で透過するので、ユーザは視覚的に異なる患者名の異フィルムの混入を短時間で直感的に認知可能となる。例えば、図９（ｂ）の破線のように、患者名の「Ｃ」の文字の位置に文字「Ｘ」が見えると、異なる患者名の異フィルムが混入していることを確認でき、同一患者のフィルムの仕分けを簡単かつ確実にできる。
【００６７】
上述のように、本実施の形態の画像形成装置１００から出力されるフィルムＦに、その診断画像情報に対応する患者名を従来よりも大きい文字で形成し、この部分を透過又は反射で確認することで、所望の患者以外のフィルム混入を簡単に確認できるので、フィルム仕分けを行うユーザはマニュアル等で手順を覚える必要なく、直ちに仕分けヘ利用できる。
【００６８】
以上のように、本実施の形態の画像形成装置１００によれば、患者名等の患者情報の文字画像をフィルムの位置部の所定値に比較的大きく形成するので、複数枚のフィルムの文字画像の部分を重ねて透過又は反射確認を行うことで、他の患者等の異なるフィルムが混入していることが容易に分かる。このため、同一患者の複数枚のフィルムを簡単に仕分けることができる。
【００６９】
また、同一患者の診断画像の形成された複数枚のフィルムを連続して出力させるとともに、他の患者に切り替わったときに、フィルムの先端部に視認マークを形成することで、同一患者の複数枚のフィルムの仕分けを更に簡単に行うことができる。
【００７０】
なお、フィルムＦの欄Ｆ１０には、患者名以外の患者区別のための患者情報、例えば患者ＩＤを形成してもよい。また、フィルムＦの欄Ｆ１０に形成する文字は、アルファベット・仮名・漢字・数字等であってよい。
【００７１】
また、１人の患者に対する撮影枚数は最大４枚以下がほとんどのケースを占めており、これらの４枚中に他の患者のフィルムが混入していることを判読できればよく、４枚のフィルムを重ね合わせて患者名等を認識できるような光量で透過するように各フィルムの患者名欄Ｆ１０に患者名を形成することが好ましい。
【００７２】
図１乃至図３の画像形成装置１００では、同一患者の複数枚のフィルムが連続的に形成されるように図２の入力部１３３に画像信号が入力するが、もし、画像信号の入力順番がずれた場合には、制御部９９のスタディ機能で次のように制御する。
【００７３】
例えば、図２の入力部１３３が画像出力装置１３１，１３２から（１）（１）（１）（２）（３）（１）という順番でプリントキューを受信した場合、同一患者（１）に関しては制御部９９のスタディ機能を用い、（１）（１）（１）（１）（２）（３）という順番で画像形成を行い、（１）→（２）及び（２）→（３）の各切り替わり時に、図５の視認マークＦ１１が形成されるようになっている。（２）→（３）の切り替わり時には、各患者のフィルムが単数である場合には、図８の破線位置または一点鎖線位置のように視認マークＦ１１の位置をずらすことが好ましく、より確実に異フィルムであることを確認できる。
【００７４】
また、例えば、（１）（２）（１）（２）（１）（２）のような順番のプリントキューの場合には、制御部９９のスタディ機能により、（１）（１）（１）（２）（２）（２）の順番で画像形成を行い、（１）→（２）の切り替わり時に、図５の視認マークＦ１１が形成される。
【００７５】
また、視認マークによるマーキングの替わりに、患者名欄Ｆ１０における患者名の文字画像の潜像形成位置を、図３の副走査方向Ｘに移動させ、例えば、図５の横方向に左端→中央→右端と順次移動させ繰返すようにしてもよく、この場合、同一患者のフィルムでは欄Ｆ１０内の同一位置に患者名を形成する。また、患者名欄Ｆ１０における患者名の文字画像の潜像形成位置を、図３の主走査方向Ｙに移動させてもよく、また副走査方向Ｘ及び主走査方向Ｙの両方向に移動させてもよい。
【００７６】
また、患者名欄Ｆ１０に形成する文字や数字の大きさは、視認し易さを考慮して、図２のフォント指定部１３４で適宜設定することが好ましい。
【００７７】
図１乃至図３の画像形成装置１００がモダリティ系の画像出力装置１３２からの画像信号だけに使用される場合には、マルチフォーマットで使用されることが多く、元々複数の縮小画像で表示されるため、フィルム内のレーザ露光による画像形成可能範囲から文字出力範囲の除いたエリアで出力倍率を計算し、患者名の文字画像は指定された大きさで診断画像の範囲外に形成する。
【００７８】
マルチフォーマット出力時は、通常、診断画像範囲外はシャーカステンでの観察時の眩惑防止のためにブラックボーダー化されることが多く、この元々存在するブラックボーダー部を利用するので、診断画像範囲が極端に狭まることはない。
【００７９】
本発明者等の実験によれば、マルチフォーマット出力時のブラックボーダー部に５．５ｍｍ角のフォントで線幅１ｍｍのアルファベットの画像形成を行い、４枚のフィルムを重ねて室内照明用蛍光灯にかざして観察したところ、容易に視覚的に文字認識可能であった。
【００８０】
また、ＣＲ系の診断画像を１台の画像形成装置で兼用し出力する場合には、ＣＲ系では診断上の重要画像情報が比較的少ない４隅部に、患者名や患者ＩＤが形成されるが、ＣＲ系では診断画像の縮小は行わず、４隅部のどこかにオーバーレイしてもよい。
【００８１】
また、ＣＲ画像とモダリティ画像（マルチフォーマット画像）を１台の画像形成装置で兼用し出力する場合には、上述の両方法を混在させることが、画像出力装置１３１，１３２の切り替えに関連させることで、排出トレー部１６０に排出されたフィルムを一目で判別可能となり好ましい。
【００８２】
以上のように本発明を実施の形態により説明したが、本発明はこれらに限定されるものではなく、本発明の技術的思想の範囲内で各種の変形が可能である。例えば、フィルムの先端部Ｆａに形成する視認マークＦ１１は、図１０のように、同一患者の複数枚のフィルムＦ１〜Ｆ４の全てに同一位置に形成し、別の患者に切り替わったときに視認マークＦ１１の位置をずらし、その別の患者の複数枚のフィルムＦ５〜Ｆ８の全てにそのずらした同じ位置に形成するようにしてもよい。
【００８３】
また、複数枚のフィルムを重ねてまたは束ねて患者名を透過又は反射確認するときには、図１１のように、複数枚のフィルムＦ１〜Ｆ４を各フィルムの患者名欄Ｆ１０に形成された患者名を読み取ることができる程度にずらして重ねる（束ねる）ようにしてもよく、この図１１の場合には、机上にフィルムを置き、室内照明による反射観察の方が判別し易い。
【００８４】
【発明の効果】
本発明によれば、レーザイメージャ等の画像形成装置がが本来有している画像形成機能を利用し、簡便なフィルム仕分けのためのフィルム確認方法、及びそのフィルム確認方法を実行可能な画像をフィルムに形成できる画像形成装置を提供できる。
【図面の簡単な説明】
【図１】本実施の形態による画像形成装置の要部を示す正面図である。
【図２】図１の画像形成装置の制御系を示すブロック図である。
【図３】図１の画像形成装置の露光部を概略的に示す図である。
【図４】図１の画像形成装置の動作を説明するためのフローチャートである。
【図５】図１の画像形成装置により画像が形成されたフィルムの例を模式的に示す平面図である。
【図６】本実施の形態におけるフィルムＦの断面図であり、図１の画像形成装置での露光時におけるフィルムＦ内の化学的反応を模式的に示した図である。
【図７】図１の画像形成装置での加熱時におけるフィルムＦ内の化学的反応を模式的に示した、図６と同様な断面図である。
【図８】本実施の形態において、同一患者の最初の一枚目に視認マークを形成した複数枚のフィルム及び別の患者の最初の一枚目に視認マークを形成した複数枚のフィルムが図１の排出トレー部に重なった状態でそれらの先端部Ｆａを図５の方向Ｍ側から見た側面図である。
【図９】図５の患者名欄Ｆ１０内に文字画像を形成した同一患者の複数枚のフィルムを示す要部斜視図（ａ）及び同一患者の複数枚のフィルムを重ね合わせた状態で、文字画像を形成した図５の患者名欄Ｆ１０を示す要部平面図である。
【図１０】図８の視認マークの形成に関する変形例を示す、図８と同様の側面図である。
【図１１】本実施の形態における複数枚のフィルムの観察を別の態様で行う場合を示す平面図である。
【符号の説明】
１００・・・画像形成装置
１１０・・・供給部
１２０・・・露光部
１３０・・・現像部
９９・・・制御部
１３１，１３２・・・画像出力装置
１３３・・・入力部
１３４・・・フォント指定部
Ｆ・・・フィルム
Ｆａ・・・フィルムの先端部
Ｆｂ・・・後端部
Ｆ１０・・・患者名欄
Ｆ１１・・・視認マーク
Ｓ・・・画像信号
【図１】
2004226702.tif 000003
【図２】
2004226702.tif 000004
【図３】
2004226702.tif 000005
【図４】
2004226702.tif 000006
【図５】
2004226702.tif 000007
【図６】
2004226702.tif 000008
【図７】
2004226702.tif 000009
【図８】
2004226702.tif 000010
【図９】
2004226702.tif 000011
【図１０】
2004226702.tif 000012
【図１１】
2004226702.tif 000013